(57)【要約】【課題】  偏心錘の取着及び取外しが容易な振動モータの提供。【解決手段】振動モータ１０はモータ本体１と偏心錘２と留め具３とから成り、モータ軸１ａに第１のＤ形断面部１ｂが形成されている。偏心錘２はモータ軸１ａを挿入するための軸穴２ｂと第２のＤ形断面部２ｃと位置決め溝２ｄを有し、留め具３は位置決め溝２ｄに嵌る跨設部３ａとその両端で突出した第１及び第２の掛止部３ｂ，３ｃを有する。各掛止部はＤ形断面空部Ｓと一対の爪片ｆ，ｆを有する。【選択図】      図２
2005237142.tif 000002
【特許請求の範囲】
【請求項１】
モータ軸をスラスト方向に挿入可能な軸穴を備えた偏心錘と、前記偏心錘を前記モータ軸に対して回り止めすると同時に抜け止めする組み付け手段とを有する振動モータであって、
前記組み付け手段は、前記モータ軸の一部に形設された第１の異形断面部と、前記偏心錘のスラスト方向に一体的に突出した第２の異形断面部と、前記モータ軸が前記軸穴に挿入された状態で前記偏心錘の両端面間における中心側側面を跨ぐ跨設部並びに前記第１及び第２の異形断面部に対して夫々前記モータ軸のラジアル方向から弾性的に係合可能な第１及び第２の掛止部を備えた留め具と、前記留め具の装着状態で前記偏心錘と前記留め具の間に構成される回り止め手段とを有して成ることを特徴とする振動モータ。
【請求項２】
モータ軸をスラスト方向に貫通可能な軸穴を備えた偏心錘と、前記偏心錘を前記モータ軸に対して回り止めすると同時に抜け止めする組み付け手段とを有する振動モータであって、
前記組み付け手段は、前記モータ軸の一部に形設された第１の異形断面部と、前記モータ軸の先端側に形設された第２の異形断面部と、前記モータ軸が前記軸穴に貫通された状態で前記偏心錘の両端面間における中心側側面を跨ぐ跨設部並びに前記第１及び第２の異形断面部に対して夫々前記モータ軸のラジアル方向から弾性的に係合可能な第１及び第２の掛止部を備えた留め具と、前記留め具の装着状態で前記偏心錘と前記留め具との間に構成される回り止め手段とを有して成ることを特徴とする振動モータ。
【請求項３】
請求項１又は請求項２において、前記回り止め部は、前記偏心錘の前記中心側側面において前記留め具の前記跨設部をスラスト方向に位置決めする位置規定部であることを特徴とする振動モータ。
【請求項４】
請求項１乃至請求項３のいずれか一項において、前記第１の掛止部は、前記第１の異形断面部に嵌る第１の異形空部及びこの第１の異形空部に前記第１の異形断面部を案内するよう形設された第１の弾性抜け止め片を備え、前記第２の掛止部は、前記第２の異形断面部に嵌る第２の異形空部及びこの第２の異形空部に前記第２の異形断面部を案内するよう形設された第２の弾性抜け止め片を備えていることを特徴とする振動モータ。
【請求項５】
請求項１乃至請求項４のいずれか一項において、前記各異形断面部は断面Ｄ形であって、前記各異形空部は断面Ｄ形であることを特徴とする振動モータ。
【請求項６】
請求項４において、前記第１及び第２の弾性抜け止め片の夫々は、一対の相対向した左右対称の爪片であることを特徴とする振動モータ。
【請求項７】
請求項４において、前記第１及び第２の弾性抜け止め片の夫々は、片側爪片であることを特徴とする振動モータ。
【発明の詳細な説明】
【技術分野】
【０００１】
本発明は、モータ軸に偏心錘を取着した振動モータに関し、特に、偏心錘の取着及び取外しが容易な振動モータに関する。
【背景技術】
【０００２】
従来一般に、振動モータにおいて、タングステン粉末等の成形焼結体としての偏心錘をモータ軸に取着する方法は、偏心錘においてスラスト方向に成形された軸受け溝にモータ軸を収めてから軸受け溝の両側に突出した挟着用突片を工具等で溝側に塑性変形させてモータ軸を加締固定することが一般的である。
【発明の開示】
【発明が解決しようとする課題】
【０００３】
しかしながら、上記加締固定法では偏心錘に一体的に形成されている挟着用突片を溝側へ塑性変形するものであることから、使用済み振動モータにおける偏心錘の取外しには、挟着用突片の戻し塑性変形を必要とし、加工硬化等により挟着用突片の割れや損傷等が生じ、回収した偏心錘の再利用が困難である。
【０００４】
そこで、上記問題点に鑑み、本発明の課題は、偏心錘の取着及び取外しが容易で、偏心錘の再利用が可能な振動モータを提供することにある。
【課題を解決するための手段】
【０００５】
上記課題を解決するため、本発明は、モータ軸をスラスト方向に挿入可能な軸穴を備えた偏心錘と、偏心錘をモータ軸に対して回り止めすると同時に抜け止めする組み付け手段とを有する振動モータであって、組み付け手段としては、モータ軸の一部に形設された第１の異形断面部と、偏心錘のスラスト方向に一体的に突出した第２の異形断面部と、モータ軸が軸穴に挿入された状態で偏心錘の両端面間における中心側側面を跨ぐ跨設部並びに第１及び第２の異形断面部に対して夫々モータ軸のラジアル方向から弾性的に係合可能な第１及び第２の掛止部を備えた留め具と、前記留め具の装着状態で偏心錘と留め具との間に構成される回り止め手段とを有して成ることを特徴とする。
【０００６】
振動モータの組立て時においては、偏心錘の軸穴にモータ軸を差し込んだ後、留め具の跨設部が偏心錘の中心側側面を跨ぐようにモータ軸のラジアル方向から第１及び第２の掛止部を第１及び第２の異形断面部の軸部分に押し付けると、第１及び第２の掛止部が第１及び第２の異形断面部に弾性的に係合し、留め具のモータ軸に対する抜け止めと回り止めが達成されると同時に、この留め具の装着状態では偏心錘と留め具との間に回り止め手段が構成され、しかも偏心錘がスラスト方向で留め具に挟まれているため、偏心錘のモータ軸に対する回り止めと抜け止めも達成される。
【０００７】
使用済みの振動モータの偏心錘を回収する場合は、留め具の跨設部等を分断して軸先端側部分を偏心錘からスラスト方向へ抜き出すことにより、偏心錘をモータ軸から抜き出すことができる。留め具はプラスチック製とすることができるため、その分断作業はニッパ等の機械切断や溶断で済み、偏心錘が損傷せず、回収後の偏心錘の再利用が可能となる。また、モータ本体の再利用も可能である。
【０００８】
第２の異形断面部が偏心錘に形成されているため、偏心錘の成形時に第２の異形断面部を同時に得ることができ、モータ本体側では第１の異形断面部を持つモータ軸を使用するだけで足り、格段の製造コスト高を招かずに済む。勿論、請求項２に係る発明のように、軸穴をモータ軸が貫通する通し穴とし、第２の異形断面部をモータ軸の先端側に形成しても良い。
【０００９】
回り止め手段としては、回り止め突起や穴等を偏心錘又は留め具に設けても構わないが、偏心錘の中心側側面において留め具の跨設部をスラスト方向に位置決めする位置規定部とすることが望ましい。回り止め機能のほか、留め具の装着の際に跨設部の位置決め機能を兼用することができる。
【００１０】
第１の掛止部は、第１の異形断面部に嵌る第１の異形空部及びこの第１の異形空部に第１の異形断面部を案内するよう形設された第１の弾性抜け止め片を備え、第２の掛止部は、第２の異形断面部に嵌る第２の異形空部及びこの第２の異形空部に第２の異形断面部を案内するよう形設された第２の弾性抜け止め片を備えている。
【００１１】
夫々の掛止部を異形断面部のある軸部分に押し付けると、軸部分が弾性抜け止め片の傾斜面に当たり弾性抜け止め片が拡開して異形空部に異形断面部が嵌ると同時に、弾性抜け止め片の復元により異形断面部が抜け止めされる。
【００１２】
異形断面部としては断面Ｄ形で、異形空部としては断面Ｄ形であることが望ましい。製造容易となるからである。
【００１３】
弾性抜け止め片としては、一対の相対向した左右対称の爪片とすることもできるが、爪片が微小となり得るため、抜け止め効果を高めるには、片側爪片とすることが望ましい。
【発明の効果】
【００１４】
本発明は、偏心錘の取着及び取外しが容易で、偏心錘の再利用が可能な振動モータを提供できる。
【発明を実施するための最良の形態】
【００１５】
次に、本発明の実施形態を添付図面に基づいて説明する。
【実施例１】
【００１６】
図１は本発明の実施例１に係る振動モータを示す斜視図、図２はその組立て斜視図、図３（ａ）は同実施例を示す平面図、図３（ｂ）は図３（ａ）におけるＡ−Ａ′線に沿って切断した状態を示す一部断面図である。
【００１７】
本例の振動モータ１０は、長く突出したモータ軸１ａを持つ小形モータ本体１と、偏心錘２と、留め具３とから成る。突出したモータ軸１ａの途中には第１のＤ形断面部１ｂが形成されている。
【００１８】
偏心錘２は、図２及び図３に示す如く、偏心回転モーメントを高めるための断面扇状の錘体部２ａと、モータ軸１ａを挿入するための軸穴（盲穴）２ｂと、モータ軸１ａと略同径で軸穴（盲穴）２ｂの延長スラスト方向に突出した第２のＤ形断面部２ｃと、両端面間における中心側側面に形成された位置決め溝２ｄとを有する。この偏心錘２はタングステン粉末等の成形焼結体として構成されている。位置決め溝２ｄは回り止め機能も兼用する。
【００１９】
留め具３はプラスチック製で、位置決め溝２ｄに嵌る跨設部（連結部）３ａと、その両端で同方向へ一体的に同長突出した第１の掛止部３ｂ及び第２の掛止部３ｃとから成る略コ字形状である。いずれの掛止部３ｂ（３ｃ）もＤ形断面空部Ｓと、そのＤ形断面空部Ｓのフラット面を構成するための相対応した左右対称の爪片ｆ，ｆとを有する。
【００２０】
振動モータ１０の組立て時においては、偏心錘２の軸穴２ｂにモータ軸１ａを差し込んだ後、留め具３の跨設部３ａが偏心錘２の位置決め溝２ｄに嵌るようにラジアル方向から第１及び第２の掛止部３ｂ，３ｃを第１及び第２のＤ形断面部１ｂ，２ｃの軸部分に押し付けると、軸部分が一対の爪片ｆ，ｆに当たり爪片ｆ，ｆが拡開してＤ形断面空部ＳにＤ形断面部１ｂ（２ｃ）が嵌る。このため、爪片ｆ，ｆの復元によりＤ形断面部１ｂ，２ｃが抜け止めされる。この時点では、留め具３はモータ軸１ａに対して抜け止めされると同時に回り止めされている。また、偏心錘２は留め具３の掛止部３ｂ，３ｃに挟まれているため、抜け止めされていると共に、跨設部３ａが位置決め溝２ｄに嵌っているため、回り止めされている。従って、偏心錘２を装着した後、留め具３を装着するだけで、偏心錘２をモータ軸１ａに取着できる。
【００２１】
使用済みの振動モータ１０の偏心錘２を回収する場合は、留め具３の跨設部３ａをニッパ等で分断して軸先端側部分を偏心錘２からスラスト方向へ抜き出すことにより、偏心錘２をモータ軸１ａから抜き出すことができる。分断作業は極めて簡単であり、偏心錘２が損傷せず、回収後の偏心錘２の再利用が可能となる。また、モータ本体１の再利用も可能である。
【００２２】
本例では、第２のＤ形断面部２ｃが偏心錘２に形成されているため、偏心錘２の成形時に第２のＤ形断面部２ｃを同時に得ることができ、モータ軸１ａに唯一のＤ形断面部１ｂを形成するだけで済むので、格段の製造コスト高を招かない。
【実施例２】
【００２３】
図４は本発明の実施例２に係る振動モータを示す斜視図、図５はその組立て斜視図、図６（ａ）は同実施例を示す平面図、図６（ｂ）は図６（ａ）におけるＡ−Ａ′線に沿って切断した状態を示す一部断面図である。なお、図４〜図６において図１〜図３に示す部分と同一部分には同一参照符号を示し、その説明を省略する。
【００２４】
本例の振動モータ２０が実施例１に係る振動モータ１０と異なるところは、掛止部３ｂ，３ｃの爪片を唯一の片側爪片Ｆとした点にある。実施例１では相対向する一対の左右対称の爪片ｆ，ｆであるため、爪片ｆの引っ掛け部分が微小となり、抜け止め効果がやや弱い。本例では唯一の片側爪片Ｆとしてあるので、引っ掛け部分が大きくなり、抜け止め効果が強い。掛止部３ｂ，３ｃの片側爪片Ｆ，Ｆ同士を互い違いの向きとしても良い。
【００２５】
なお、上記各実施例では、第２のＤ形断面部２ｃを偏心錘２に形成してあるが、軸穴２ｂを通し穴とし、第２のＤ形断面部２ｃをモータ軸１ａの先端側に形成しても良い。
【図面の簡単な説明】
【００２６】
【図１】本発明の実施例１に係る振動モータを示す斜視図である。
【図２】同実施例の組立て斜視図である。
【図３】（ａ）は同実施例を示す平面図、（ｂ）は（ａ）におけるＡ−Ａ′線に沿って切断した状態を示す一部断面図である。
【図４】本発明の実施例２に係る振動モータを示す斜視図である。
【図５】同実施例の組立て斜視図である。
【図６】（ａ）は同実施例を示す平面図、（ｂ）は（ａ）におけるＡ−Ａ′線に沿って切断した状態を示す一部断面図である。
【符号の説明】
【００２７】
１…小形モータ本体
１ａ…モータ軸
１ｂ…第１のＤ形断面部
２…偏心錘
２ａ…錘体部
２ｂ…軸穴
２ｃ…第２のＤ形断面部
２ｄ…位置決め溝
３…留め具
３ａ…跨設部
３ｂ…第１の掛止部
３ｃ…第２の掛止部
１０，２０…振動モータ
Ｓ…Ｄ形断面空部
ｆ…爪片
Ｆ…片側爪片
【図１】
2005237142.tif 000003
【図２】
2005237142.tif 000004
【図３】
2005237142.tif 000005
【図４】
2005237142.tif 000006
【図５】
2005237142.tif 000007
【図６】
2005237142.tif 000008